(57)【要約】【課題】表示灯を備えた火災感知器において、安価に表示灯回路を無極性化する。【解決手段】火災を検出する火災検出部３と、火災検出部３が火災を検出したときに接点機構７が閉じて表示灯８を点灯させる表示灯回路Ｃ１と、表示灯８の光を外部に放射させる表示灯カバー９とを備えている火災感知器１において、表示灯回路Ｃ１は、表示灯８を構成するものとして、回路基板６上に実装され、逆並列に接続された少なくとも２つの発光素子ＬＥＤ１及びＬＥＤ２を含んでいる。【選択図】図２
2011145915.tif 000002
【特許請求の範囲】
【請求項１】
火災を検出する火災検出部と、該火災検出部が火災を検出したときに接点機構が閉じて表示灯を点灯させる表示灯回路と、該表示灯の光を外部に照射させる表示灯カバーとを備えている火災感知器において、
該表示灯回路は、該表示灯を構成するものとして、回路基板上に実装され、逆並列に接続された少なくとも２つの発光素子を含んでいることを特徴とする火災感知器。
【請求項２】
該少なくとも２つの発光素子の発光部からの光が入射する入射部を有し、該入射部から入射した光を該表示灯カバーに向けて導く導光体を更に備え、該少なくとも２つの発光素子は隣接するように配置されていると共に、それらの発光部が該導光体の該入射部に対向するように配置されていることを特徴とする請求項１記載の火災感知器。
【請求項３】
該少なくとも２つの発光素子はそれらの発光部が回路基板の上方に向かうように配置されており、又、該導光体の該入射部は該少なくとも２つの発光素子の発光部の上方に位置するように配置されていることを特徴とする請求項２記載の火災感知器。
【請求項４】
該少なくとも２つの発光素子は該導光体の中心軸を含む立面を間にして隣接するように配置されていることを特徴とする請求項３記載の火災感知器。
【請求項５】
該少なくとも２つの発光素子はそれらの発光部の各中心が該導光体の中心軸を含む立面内に位置するように配置されていることを特徴とする請求項３記載の火災感知器。
【請求項６】
該発光素子はチップタイプＬＥＤ素子であることを特徴とする請求項１乃至５の何れかに記載の火災感知器。
【発明の詳細な説明】
【技術分野】
【０００１】
この発明は、表示灯を備えた火災感知器に関する。
【背景技術】
【０００２】
火災感知器は、一般に、火災時等に点灯して動作を表示する表示灯を備えている（例えば、特許文献１参照）。
【先行技術文献】
【特許文献】
【０００３】
【特許文献１】特許第２８３８７４９号公報
【発明の概要】
【発明が解決しようとする課題】
【０００４】
ところで、火災感知器の表示灯には、一般にＬＥＤが用いられているが、火災感知器が一対の感知器配線（Ｃ線とＬ線）に接続されるものである場合、有極性のＬＥＤに対し、その極性を逆にして感知器配線が火災感知器に接続されてしまうことがある。そうされると、ＬＥＤは逆方向の耐電圧が低いため、破壊され易い。これを回避するためには、表示灯を無極性化する必要がある。そこで、表示灯の無極性化回路（例えば、ダイオードブリッジによる全波整流）を別に設けることが考えられるが、そのような無極性化回路を別に設けることは製品コストをアップさせることになるので、コストの点で好ましくない。
【０００５】
この発明は、前記の事情に鑑み、表示灯を備えた火災感知器において、安価に表示灯回路を無極性化することを目的とする。
【課題を解決するための手段】
【０００６】
この発明は、火災を検出する火災検出部と、該火災検出部が火災を検出したときに接点機構が閉じて表示灯を点灯させる表示灯回路と、該表示灯の光を外部に照射させる表示灯カバーとを備えている火災感知器において、該表示灯回路は、該表示灯を構成するものとして、回路基板上に実装され、逆並列に接続された少なくとも２つの発光素子を含んでいることを特徴とする火災感知器である。
【０００７】
又、この発明は、前記の火災感知器であって、該少なくとも２つの発光素子の発光部からの光が入射する入射面を有し、該入射面から入射した光を該表示灯カバーに向けて導く導光体を更に備え、該少なくとも２つの発光素子は隣接するように配置されていると共に、それらの発光部が該導光体の該入射面に対向するように配置されていることを特徴とする火災感知器である。
【０００８】
又、この発明は、前記の火災感知器であって、該少なくとも２つの発光素子はそれらの発光部が回路基板の上方に向かうように配置されており、又、該導光体の該入射面は該少なくとも２つの発光素子の発光部の上方に位置するするように配置されていることを特徴とする火災感知器である。
【０００９】
又、この発明は、前記の火災感知器であって、該少なくとも２つの発光素子は該導光体の中心軸を含む立面を間にして隣接するように配置されていることを特徴とする火災感知器である。
【００１０】
又、この発明は、前記の火災感知器であって、該少なくとも２つの発光素子はそれらの発光部の各中心が該導光体の中心軸を含む立面内に位置するように配置されていることを特徴とする火災感知器である。
【００１１】
尚、この発明において、該発光素子はチップタイプＬＥＤ素子とすることができる。
【発明の効果】
【００１２】
この発明においては、表示灯が逆並列に接続された少なくとも２つの発光素子により構成されているので、表示灯回路に印加される電流の流れが正逆方向の何れであっても、何れかの発光素子に順電流が流れ、何れかの発光素子が点灯することとなる。
【００１３】
従って、この発明によれば、表示灯を備えた火災感知器において、無極性化回路を別に設けなくても、表示灯回路を無極性化することができ、即ち、安価に表示灯回路を無極性化することができる。
【００１４】
又、この発明においては、表示灯を構成する少なくとも２つの発光素子が隣接するように配置されていると共に、それらの発光部が導光体の入射面に対向するように配置されているので、それら発光素子の何れが点灯しても、点灯した発光素子から導光体の入射面に入射される光の強度が同程度になるようにすることができ、導光体により表示灯カバーに導かれる光の強度が同程度になるようにすることができる。
【００１５】
従って、この発明によれば、表示灯を構成する少なくとも２つの発光素子の何れが点灯したとしても、表示灯カバーから外部に照射される光の視認性が同程度になるようにすることもできる。
【図面の簡単な説明】
【００１６】
【図１】この発明の火災感知器の一実施形態を示し、その全体の一部断面（導光体の中心軸を含む断面）側面図である。
【図２】同上を示し、その全体の斜視図である。
【図３】同上を示し、その表示灯回路の回路図であって、表示灯を構成する２つの発光素子の導光体に対する位置関係を併せて示した図である。
【図４】同上を示し、その要部の一部断面（導光体の中心軸を含む断面）拡大斜視図である。
【発明を実施するための形態】
【００１７】
この発明の火災感知器の実施の形態を差動式（ダイアフラム式）のスポット型熱感知器に適用する場合を例に図１乃至４に基づき説明する。尚、この発明の火災感知器は定温式（バイメタル式）のスポット型熱感知器等に適用することもできる。
【００１８】
図１及び２に示されるように、火災感知器１は、差動式スポット型熱感知器であり、本体２下部に火災検出部を構成するチャンバ３を有しており、チャンバ３の下部を画定している感熱板４が受熱する火災時の熱によってチャンバ３内の空気が急激に膨張し、それによってチャンバ３の上部に設けられているダイアフラム５が押し上げられることにより、回路基板６に接続される接点機構７が閉じて、火災の検出ができるようになっている。そして、火災検出時、接点機構７が閉じることで、表示灯８が点灯発光し、その光が本体２側部に設けられた表示灯カバー９より外部に照射されて、その作動状態が外部から視認可能なものとなっている。尚、チャンバ３には図示しないリーク孔が設けられており、日常の気温変化等によるチャンバ３内の空気の緩慢な膨張収縮の変化に対してはリーク孔を介した空気の出入りによりその変化が打ち消されて接点機構７が閉じないようになっている。
【００１９】
本実施の形態において、表示灯８は、２つの発光素子、具体的には２つのチップタイプＬＥＤ素子によって構成されている。表示灯８を構成する２つのチップタイプＬＥＤ素子ＬＥＤ１及びＬＥＤ２は、回路基板６上に例えば互いに隣接するように並べて実装されており、図３に示されるように、接点機構７によって開閉される表示灯回路Ｃ１中に逆並列、即ち互いに逆向きにして並列に接続されている。即ち、表示灯８を構成する２つのＬＥＤ素子ＬＥＤ１及びＬＥＤ２を含む表示灯回路Ｃ１は、Ｃ端子及びＬ端子に対する感知器配線（Ｃ線とＬ線）の接続の仕方に応じ、印加される電流が正逆、何れの方向に流れたとしても、ＬＥＤ１又はＬＥＤ２の何れか一方（電流の流れに順方向のもの）が点灯し、又点灯しない他方（電流の流れに逆方向のもの）には素子が破壊される程の大きな逆電圧がかからないようになっており、単方向のＬＥＤ素子を含むものでありながら、無極性化されたものとなっている。この回路構成により、火災感知器１は無極性化されたものとなっており、無極性化のために別の回路を設ける必要がなく、安価に火災感知器の表示灯回路の無極性化が実現できるものとなっている。尚、表示灯回路Ｃ１において、Ｒ１及びＲ２は制限抵抗であり、逆並列のＬＥＤ１及びＬＥＤ２に、Ｒ１は直列に、Ｒ２は並列に接続されており、これら制限抵抗Ｒ１及びＲ２が設けられていることで、表示灯回路Ｃ１は回路としての安定性が確保されている。ここで、本実施の形態において、表示灯８を構成するＬＥＤ素子を２つにしているが、全体として逆並列の接続関係が構築できれば、必要に応じ、その個数はより多いものとしてもよい。更に、ＬＥＤ１及びＬＥＤ２を逆並列させたことにより、ＬＥＤを１つだけ接続した場合にはＬＥＤがノイズ電圧で破壊されたのに対し、ノイズ電圧が何れか一方のＬＥＤをバイパスするために、耐ノイズ性を向上できる。
【００２０】
表示灯８は、前記の通り、２つのチップタイプＬＥＤ素子ＬＥＤ１及びＬＥＤ２により構成され、本実施の形態においては、それら２つのＬＥＤ素子が回路基板６上にそれぞれ実装されている。又、２つのＬＥＤ素子ＬＥＤ１及びＬＥＤ２は何れもトップビュータイプのものであり、回路基板６の実装面にそれぞれの発光部を上方に向けて実装され、それぞれの発光部は本体２内において上方に向けて光を発するようになっている。尚、図１及び４は、一方のＬＥＤ素子ＬＥＤ１のみを示したものとなっており、発光部もそのＬＥＤ１のものＬ１のみを示したものとなっているが、他方のＬＥＤ素子ＬＥＤ２も前記の通りその発光部（以下発光部Ｌ２）が同様に上方に向かうものとなっている。又、表示灯８を構成する２つのチップタイプＬＥＤ素子は、それらを１パッケージ化して回路基板６に実装されたものとしてもよく、更に、ＬＥＤ素子としては、トップビュータイプ以外のものや（例えばサイドビュータイプのもの等）、チップタイプ以外のもの（例えば砲弾タイプのＬＥＤ素子等）を用いてもよい。
【００２１】
表示灯カバー９と表示灯８の間には、表示灯８の発光部Ｌ１及びＬ２からの光を表示灯カバー９に導く導光体１０が設けられている。本実施の形態において、導光体１０は、全体として略Ｌ字状で、その一端側内面に表示灯８を構成する２つのＬＥＤ素子ＬＥＤ１及びＬＥＤ２の両発光部Ｌ１及びＬ２の上方に位置してそれらと対向する入射面１０ａを有すると共に、他端側外面に表示灯カバー９の内面に向かう照射面１０ｂを有し、表示灯カバー９と一体に透光性材料により形成されている。導光体１０は、入射面１０ａから入射した光を表示灯カバー９側に向けて反射させる反射面１０ｃを有しており、この導光体１０により、本体２内において、回路基板６上方に向けて表示灯８の発光部Ｌ１及びＬ２から発せられた光が本体２の側部に設けられている表示灯カバー９より外部に照射されるようになっている。尚、導光体１０は表示灯カバー９と別体に設けるようにしてもよく、又、導光体１０を設けるのに代えて、複数の光の反射手段を組み合わせて、表示灯８の光を表示灯カバー９に導くようにしてもよく、更に、表示灯８を構成する２つのＬＥＤ発光素子としてサイドビュータイプのものを用いれば、本体２の側部にある表示灯カバー９に表示灯８の光が直接届くようにすることができ、そのようにすることで、導光体１０をなくすることができたり、導光体１０を直線状等の簡単な構成のものとすることができる。
【００２２】
表示灯８において、それを構成する２つのＬＥＤ素子ＬＥＤ１及びＬＥＤ２は、互いに隣接して並べて配置されており、又、前記の通りそれぞれの発光部Ｌ１及びＬ２は導光体１０の入射面１０ａに対向して配置されている。この配置構成により、表示灯８は、当該２つのＬＥＤ素子ＬＥＤ１及びＬＥＤ２の何れが点灯しても、発光部Ｌ１及びＬ２から導光体１０内にその入射面１０ａに入射される光の強度を同程度にすることができるようになっており、それにより、導光体１０を介して表示灯カバー９に導かれ、表示灯カバー９から外部に照射される光による視認性を同程度にすることができるようになっている。
【００２３】
更に、表示灯８は、前記の通り、当該２つのＬＥＤ素子ＬＥＤ１及びＬＥＤ２の何れが点灯しても、発光部Ｌ１及びＬ２から導光体１０内にその入射部１０ａに入射される光の強度を同程度にすることができるようになっているが、よりそうできるようにするために、本実施の形態においては、図３の回路図に併せて示されるように、当該２つのＬＥＤ素子ＬＥＤ１及びＬＥＤ２は導光体１０の中心軸１０Ａを含む立面を間にして交差方向に隣接するように配置されたものとなっている。尚、図示は省略するが、当該２つのＬＥＤ素子ＬＥＤ１及びＬＥＤ２を導光体１０の中心軸に沿う方向に隣接させつつ、それらの発光部Ｌ１及びＬ２の各中心が導光体１０の中心軸１０Ａを含む立面内に位置するように配置してもよい。
【００２４】
以上説明したように、火災感知器１は、表示灯８が逆並列に接続される発光素子ＬＥＤ１及びＬＥＤ２により構成されていることで、印加される電流の流れが正逆何れであっても、何れかの発光素子に電流が流れ、何れかの発光素子が点灯するようになっており、表示灯８の無極性化回路を別に設けることなしに、表示灯８を無極性化することができるものとなっており、即ち、安価に表示灯８を無極性化することができるものとなっている。又、火災感知器１は、表示灯８を構成する逆並列に接続される発光素子ＬＥＤ１及びＬＥＤ２は互いに隣接するように並べて配置されていると共に、それらの発光部Ｌ１及びＬ２が導光体１０の入射面１０ａに対向するように配置されていることで、それら発光素子ＬＥＤ１及びＬＥＤ２の何れが点灯しても、点灯した発光素子から導光体１０の入射面１０ａに入射される光の強度を同程度にすることができるようになっており、それにより、導光体１０を介して表示灯カバー９に導かれ、表示灯カバー９から外部に照射される光の視認性を同程度にすることができるようになっている。
【符号の説明】
【００２５】
１        火災感知器                ２        本体
３        チャンバ                  ４        感熱板
５        ダイアフラム              ６        回路基板
７        接点機構                  ８        表示灯
９        表示灯カバー              １０      導光体
１０Ａ    中心軸                    １０ａ    入射面
１０ｂ    照射面                    １０ｃ    反射面
Ｃ１      表示灯回路                ＬＥＤ１  ＬＥＤ素子
Ｌ１      発光部                    ＬＥＤ２  ＬＥＤ素子
Ｌ２      発光部                    Ｒ１      制限抵抗
Ｒ２      制限抵抗
【図１】
2011145915.tif 000003
【図２】
2011145915.tif 000004
【図３】
2011145915.tif 000005
【図４】
2011145915.tif 000006